(57)【要約】【課題】表示画面を備えた筐体を手で保持しながら用いる際の操作性を改善することが可能な生体情報処理装置を提供すること。【解決手段】筐体と、筐体に設けられた表示画面を備える表示部と、生体情報処理装置の操作を行う操作部と、を有する生体情報処理装置である。操作部が、表示部の表示画面を筐体の正面とした場合に、筐体の背面側で操作を行うように配置されていることを特徴とする。【選択図】図２
2020130874.tif 000002
【特許請求の範囲】
【請求項１】
生体情報処理装置であって、
筐体と、
前記筐体に設けられた表示画面を備える表示部と、
前記生体情報処理装置の操作を行う操作部と、を有し、
前記操作部が、前記表示部の表示画面を前記筐体の正面とした場合に、前記筐体の背面側で操作を行うように配置されていることを特徴とする生体情報処理装置。
【請求項２】
前記操作部が、前記筐体の前記背面の中心からずれた位置に配置されることを特徴とする請求項１に記載の生体情報処理装置。
【請求項３】
前記操作部の位置を前記筐体に対して調整可能であることを特徴とする請求項１に記載の生体情報処理装置。
【請求項４】
前記操作部が、前記筐体に対して着脱可能であることを特徴とする請求項１から請求項３のいずれか１項に記載の生体情報処理装置。
【請求項５】
前記操作部が、前記筐体のケースを兼ねることを特徴とする請求項４に記載の生体情報処理装置。
【請求項６】
前記操作部が、タッチパッドを有することを特徴とする請求項１から請求項５のいずれか１項に記載の生体情報処理装置。
【請求項７】
前記タッチパッドが、前記表示画面よりも小さいことを特徴とする請求項６に記載の生体情報処理装置。
【請求項８】
前記タッチパッドの有効領域の座標が、前記表示画面の所定領域の座標に対応していることを特徴とする請求項６または請求項７に記載の生体情報処理装置。
【請求項９】
前記所定領域が、前記表示画面の全体であることを特徴とする請求項８に記載の生体情報処理装置。
【請求項１０】
前記所定領域が、前記表示画面のうち、生体情報を表示する領域であることを特徴とする請求項８に記載の生体情報処理装置。
【請求項１１】
前記操作部が、ポインティングデバイスとスイッチの少なくとも一方とを有することを特徴とする請求項１から請求項５のいずれか１項に記載の生体情報処理装置。
【請求項１２】
前記ポインティングデバイスがジョイスティックまたはトラックボールであることを特徴とする請求項１１に記載の生体情報処理装置。
【請求項１３】
前記操作部から入力される座標もしくは前記操作部の操作方向を、前記操作部を前記表示画面側から見たときの座標もしくは操作方向として取り扱うことを特徴とする請求項１から１２のいずれか１項に記載の生体情報処理装置。
【発明の詳細な説明】
【技術分野】
【０００１】
本発明は、生体情報処理装置に関し、特には小型の生体情報処理装置の操作性を向上させる技術に関する。
【背景技術】
【０００２】
従来、例えば心電計や超音波診断装置といった生体情報処理装置は、本体をトロリーなどに設置して用いる、いわゆる据え置き型の装置であった。現在でもこれらの装置は据え置き型が主流であるが、持ち運びを前提とした可搬型の装置も開発されるようになってきた。
【０００３】
可搬性の面からは装置本体が小さいほど好ましいが、生体情報を表示する画面は大きい方が好ましい。装置にできるだけ大きな表示パネルを実装できるよう、タッチディスプレイとソフトウェアキーの組み合わせを用いて、装置の筐体に設けるハードウェアキーやスイッチ（操作部材）の数を削減する構成が知られている（特許文献１）。
【先行技術文献】
【特許文献】
【０００４】
【特許文献１】特許第4949685号公報（図３）
【発明の概要】
【発明が解決しようとする課題】
【０００５】
小型の生体情報処理装置は、本体を手で保持しながら用いる場合が想定される。また、使用状況（例えば緊急時など）や装置の種類によっては、片手で本体を保持しつつ、本体のソフトウェアキーや操作部材を操作しなければならないことも想定される。例えば、生体情報処理装置が超音波診断装置である場合、一方の手は常にプローブを保持する必要があるため、本体の保持および操作はもう一方の手で行う必要がある。
【０００６】
このような背景から、小型の生体情報処理装置にソフトウェアキーや操作部材を用いる場合、ソフトウェアキーや操作部材は本体を保持した手で操作可能な位置に配置すべきである。片手で本体を保持する場合、一般的には本体筐体の前面と背面とを親指と残りの指とで挟み込むようにするものと考えられる。この場合、本体筐体の前面に設けられた表示画面を操作可能なのは親指だけである。つまり、ソフトウェアキーや操作部材は、本体を保持している手の親指で操作可能な範囲（筐体の縁部近傍）に配置する必要がある。
【０００７】
しかし、このような構成には、以下の様な課題がある。
（１）手の小さい、あるいは大きいユーザには操作しづらい場合がある。
（２）タッチディスプレイを用いていても、画面上の位置をタッチ操作で直接指定することができず、親指でカーソルなどを操作して間接的に指定する必要がある。
（３）操作するキーが親指で隠されるため、ソフトウェアキーを用いる場合でもキーに動的な情報を表示できない。
（４）画面を直接手で操作すると、画面が汚れる。
（５）操作部材を設けるための領域によって画面の大きさが制限されたり、筐体が大きくなる
なお、これら課題のうち、（３）から（５）は、本体を両手で保持する場合にも共通する課題である。
【０００８】
本発明は、このような従来技術の課題の１つ以上を軽減するためになされたものであり、表示画面を備えた筐体を手で保持しながら用いる際の操作性を改善することが可能な生体情報処理装置を提供することを１つの目的とする。
【課題を解決するための手段】
【０００９】
上述の目的は、生体情報処理装置であって、筐体と、筐体に設けられ、表示画面を備える表示部と、生体情報処理装置の操作を行う操作部と、を有し、操作部が、表示部の表示画面を筐体の正面とした場合に、筐体の背面側で操作を行うように配置されていることを特徴とする生体情報処理装置によって達成される。
【発明の効果】
【００１０】
本発明はこのような構成により、表示画面を備えた筐体を手で保持しながら用いる際の操作性を改善することが可能な生体情報処理装置を提供することができる。
【図面の簡単な説明】
【００１１】
【図１】本発明を適用可能な超音波診断装置の機能構成例を示すブロック図である。
【図２】実施形態に係る超音波診断装置の外観例を示す図である。
【図３】実施形態に係る超音波診断装置の外観例を示す図である。
【図４】実施形態に係る超音波診断装置の外観例を示す図である。
【図５】実施形態に係る超音波診断装置の外観例を示す図である。
【発明を実施するための形態】
【００１２】
以下、図面を参照して本発明をその例示的な実施形態に基づいて詳細に説明する。以下では、生体情報処理装置の一例としての超音波診断装置に本発明を適用した実施形態について説明する。しかしながら本発明は、表示画面を備える筐体を手で保持しながら操作しうる任意の生体情報処理装置に適用可能である。このような生体情報処理装置には、心電計、モニタ装置（外部表示装置を有するもの）などが例示できるが、これらに限定されない。
【００１３】
図１は、本実施形態に係る超音波診断装置の構成例を表わすブロック図である。超音波診断装置１００は、本体１２０と、本体１２０に着脱可能な超音波プローブ１３０とから構成される。超音波診断装置１００の機能は制御部１０１が各部の動作を制御することによって実現される。制御部１０１は例えばプログラマブルプロセッサを有し、不揮発性メモリ１０２に記憶されたプログラムをシステムメモリ１０３に読み込んで実行し、超音波診断装置１００の各部の動作を制御する。なお、制御部１０１は処理の一部にＡＳＩＣ(Application Specific Integrated Circuit)やＡＳＳＰ(Application Specific Standard Product)などのハードウェア回路を利用してもよい。
【００１４】
例えば書き換え可能な不揮発性メモリ１０２は、制御部１０１が実行するためのプログラム、ＧＵＩデータ、超音波診断装置１００の各種の設定値などを記憶する。なお、駆動回路１０４が超音波プローブ１３０の有する振動子１０５を駆動するために用いるパルス状電圧を生成するための波形パターンを表すデータ（駆動波形パターンデータ）も不揮発性メモリ１０２に記憶されている。
【００１５】
システムメモリ１０３は制御部１０１がプログラムを読み込んで実行するために用いたり、受信信号のバッファとして用いたりするメモリである。
【００１６】
駆動回路１０４は、不揮発性メモリ１０２に保存されている複数の駆動波形パターンデータのうち、制御部１０１が選択した駆動波形パターンデータを不揮発性メモリ１０２から読み出す。そして、駆動回路１０４は、読み出した駆動波形パターンデータに基づいてパルス状の駆動電圧を生成し、超音波プローブ１３０の振動子１０５に印加することによって振動子１０５を駆動する。
【００１７】
超音波プローブ１３０が有する振動子１０５は、１次元または２次元配列された複数の振動子を有する。個々の振動子は電気機械変換素子（例えば圧電素子）である。振動子１０５は、駆動回路１０４から印加される電圧によって超音波を発生（送信）する。また、振動子１０５は、受信した振動を電気信号（観測信号）に変換して出力する。なお、ここでは説明および理解を容易にするために振動子１０５の詳細については説明を省略する。駆動回路１０４は計測の種類や設定、スキャン方法などに応じたタイミングで、振動子１０５が有する複数の振動子を別個に駆動する。
【００１８】
受信回路１０６は、超音波プローブ１３０の振動子１０５が出力する観測信号に対し、ノイズ低減、増幅、Ａ／Ｄ変換、加算などの処理を実行し、反射波データとしてシステムメモリ１０３に保存する。なお、各振動子の受信信号の遅延時間を制御して加算することにより、受信信号のフォーカスを高めることができる。
【００１９】
ドプラ処理部１０７は、システムメモリ１０３に保存された反射波データに対し、例えば連続波ドプラ法、パルスドプラ法、カラードプラ法（ＣＦＭ(Color Flow Mapping)とも呼ばれる）などの、ドプラ法などに対応した信号処理を行うことができる。システムメモリに保存された反射波データのうち、ドプラ法に基づく表示を行う走査線の反射波データが保存されているアドレスは例えば制御部１０１からドプラ処理部１０７に与えられる。ドプラ処理部１０７は対象の走査線について、動体の移動速度を表す画像（波形図や血流速度を表す画像）を生成し、座標変換メモリ１０８に保存する。
【００２０】
ドプラ法は、動体で反射した超音波のドプラ偏移に基づいて動体の速度を検出する方法である。そして、カラードプラモードは、検出した動体の速度の大きさ、方向、分散、反射波の強さ（パワー）などを色分けして表示するモードである。安定した検出結果を得るため、一般にカラードプラモードでは同じ方向について複数回超音波の送受信を行い、複数の受信信号に基づいて速度を検出する。そのため、カラードプラ像のフレームレートはＢモード像のフレームレートより低くなる。カラードプラ像のフレームレートを向上させるため、カラードプラ像は注目領域（ＲＯＩ：Region of Interest）やカラーウィンドウなどと呼ばれる部分領域についてのみ生成され、Ｂモード像に合成して出力される。カラードプラ像を生成する部分領域の位置や大きさはユーザが設定ならびに変更することができる。
【００２１】
カラードプラモードまたはＣＦＭ(Color Flow Mapping)モードが設定されている場合、制御部１０１は、ドプラ処理部１０７によるカラードプラ像の生成および画像合成部１１１による画像合成を有効にする。また、制御部１０１は、Ｂモード像とカラードプラ像とを生成するための駆動パターンで超音波振動子を駆動するよう、駆動回路１０４を制御する。
【００２２】
また、ドプラ処理部１０７は、ＭＴＩ(Moving Target Indicator)フィルタを有し、ＭＴＩフィルタを通過した帯域の信号についてドプラ像を生成する。ＭＴＩフィルタはウォールフィルタとも呼ばれ、ハイパスフィルタの一種であり、カラー表示する対象となる動きの下限を調整するために用いられる。通常、ＭＴＩフィルタのカットオフ周波数はユーザが調整可能である。
【００２３】
Ｂモード処理部１０９は、システムメモリ１０３に保存された反射波データに対してＢモード（反射波の強さを輝度で表すモード）に対応した信号処理を行うことができる。システムメモリに保存された反射波データのうち、Ｂモードでの表示を行う走査線の反射波データが保存されているアドレスは例えば制御部１０１からＢモード処理部１０９に与えられる。Ｂモード処理部１０９は対象の走査線ごとに、深さと反射波の強さとの関係を表す画像を生成し、座標変換メモリ１１０に保存する。なお、本実施形態では一般にカラードプラ像と合成されるＢモード像を生成するＢモード処理部１０９しか記載していないが、超音波診断装置１００は、Ａモード像やＭモード像など、他の公知の超音波画像を生成する機能を備えている。
【００２４】
座標変換メモリ１０８および１１０は、ドプラ処理部１０７およびＢモード処理部１０９が走査線単位で生成する深さ方向の１次元画像を、ラスタースキャン方式の表示部１１２において２次元画像として表示するための座標変換に用いられる。なお、座標変換メモリ１０８および１１０は別個のブロックとして記載しているが、１つのメモリ空間内の異なるアドレスブロックとして実装されてもよい。
【００２５】
画像合成部１１１は、座標変換メモリ１０８および１１０に記憶されている画像から、設定に従ったフォーマットを有する表示用画像を生成し、表示部１１２に超音波画像として出力する。例えばＣＦＭ表示を行う場合には、座標変換メモリ１１０から読み出したＢモード画像に、座標変換メモリ１０８から読み出したＣＦＭ画像を合成した表示用画像を生成する。また、Ｂ／ＰＷモード表示を行う場合には、座標変換メモリ１１０から読み出したＢモード画像と、座標変換メモリ１０８から読み出したＦＦＴ波形像とを並べた表示用画像を生成する。表示用画像のフォーマットは計測モードやユーザ設定に応じて定まる。画像合成部１１１が像の合成を行うか否かは、設定されているモードに従って制御部１０１が制御する。
【００２６】
表示部１１２はタッチ操作を検出可能なディスプレイ（タッチディスプレイ）であり、画像合成部１１１が出力する画像を表示する。また、表示部１１２の表示画面の一部はソフトウェアキーの表示領域として用いられてもよい。この場合、画像合成部１１１が出力する超音波画像は、表示画面のうち、ソフトウェアキーの表示領域以外の領域に表示される。
【００２７】
操作部１１３は、ユーザが超音波診断装置１００に指示を入力するための入力デバイスである。なお、後述するように、本実施形態における操作部１１３は超音波診断装置１００の表示部１１２の表示画面を本体１２０の筐体の正面または前面とした場合に、背面側に設けられる。ソフトウェアキーをタッチ操作によって操作可能とするために表示部１１２が備えるタッチパネルや、電源スイッチも、ユーザが超音波診断装置１００に指示を入力するための入力デバイスであるが、本実施形態では操作部１１３とは別個のものとして取り扱う。
【００２８】
外部インタフェース（Ｉ／Ｆ）１１４は、超音波診断装置１００と外部機器とを通信可能に接続するための通信インタフェースである。外部Ｉ／Ｆ１１４は外部機器と有線または無線により通信する。外部Ｉ／Ｆ１１４は外部機器を直接またはケーブルなどを介して接続するためのコネクタや端子を備えたり、外部機器と無線通信を行うための送受信機などを備えたりすることができる。外部機器との通信は、標準規格もしくは独自仕様に準拠したプロトコルに従ったものであってもよい。
【００２９】
図１に示すように、操作部１１３は本体１２０の筐体に設けられてもよいし、外部Ｉ／Ｆ１１４を通じて通信可能に接続される外部機器であってもよい。いずれの場合も、操作部１１３は、表示部１１２の表示画面を本体１２０の筐体の正面または前面とした場合に、背面側に設けられる。
【００３０】
図２は、超音波診断装置１００の本体１２０の外観例を示す図である。本実施形態の超音波診断装置１００の本体１２０は平板状の筐体を有し、筐体の前面（正面）に表示部１１２の表示画面１１２Ａが配置されている。図２（ａ）は本体１２０の前面（正面）の構成例を示す平面図であり、図２（ｂ）および（ｃ）は本体１２０の背面（裏面）の構成例を示す平面図である。図２においてはプローブ１３０は省略しているが、例えば図２（ａ）における右側面に接続される。
【００３１】
図２（ａ）に示すように、本実施形態の超音波診断装置１００は本体１２０の前面の大部分が表示画面１１２Ａであり、電源スイッチは例えば本体１２０の側面に設けられている。表示画面１１２Ａは超音波画像を表示するための領域Ａと、患者名や日時などの情報を表示するための領域Ｂと、ソフトウェアキーを表示するための領域Ｃとに分割されている。ここでは、ユーザが本体１２０の筐体の左端を片手で保持することを促すように、表示画面１１２Ａの表示方向やレイアウトが設計されている。表示画面の設計だけでなく、ユーザが本体１２０の筐体の左端を片手で保持することを促すような筐体の構造としてもよい。具体的には、筐体の左端や背面に保持を補助する部材（例えば手を通すハンドルや、指で挟みやすい突起など）を設けたり、筐体の左端側の形状を片手で保持しやすい形状としてもよい。なお、領域Ａ〜Ｃの分割方法は図２（ａ）に示したものに限定されない。例えば領域Ｃが存在せず、ソフトウェアキーを領域Ａの最下部に表示してもよい。
【００３２】
本実施形態において、操作部１１３は筐体の背面（裏面）に設けられている。図２（ａ）および（ｂ）は、操作部１１３としてタッチパッドが設けられた例を示している。タッチパッドはノート型のパーソナルコンピュータにおいてポインティングデバイスとして広く用いられており、タッチ位置（座標）およびその経時変化を検出することにより、様々なタッチ操作を認識することができる。
【００３３】
操作部１１３は、図２（ｂ）に×印で示す本体１２０の筐体中心から右下にずれた位置に配置されている。これは、本体１２０の左端を片手で挟んで保持する際に、筐体背面側を支持する人差し指から小指のいずれかによって操作しやすい位置の想定に基づくものである。したがって、操作部１１３の大きさについても、本体を支持する手の指で任意の位置をタッチ操作できる程度に設定されている。
【００３４】
図２（ｃ）は、操作部１１３として、物理的なスイッチ１１３Ａ、１１３Ｂと、ポインティングデバイス（トラックボールやジョイスティック）１１３Ｃが設けられた例を示している。この場合も、操作部の位置、大きさ、配置は、本体を支持する手の指で操作しやすいように定める。スイッチ１１３Ａ，１１３Ｂは例えば上方（ＯＦＦ方向）に付勢され、押下している間だけＯＮするスイッチである。
【００３５】
なお、手の大きさや指の長さといった個人差に対応するため、図３に示すように、操作部１１３の位置を本体１２０の筐体に対して相対的に移動可能に構成してもよい。図３は、図２（ｂ）や（ｃ）の操作部１１３を、筐体に対して左右に移動可能に構成した例を模式的に示している。操作部１１３を筐体に対して移動可能とする場合、操作部１１３を可動部材１１３１、１１３Ｄに配置し、可動部材１１３１、１１３Ｄを筐体に対して移動可能に構成すればよい。可動部材を筐体に対して移動可能とする構成には特に制限は無く、例えば可動部材が筐体に設けられたレールや溝に沿って移動可能な構成であってよい。
【００３６】
図４は、操作部１１３がタッチパッドである場合の、表示画面１１２Ａと操作部１１３との対応関係の例を模式的に示した図である。図４（ａ）、（ｂ）とも、上に筐体を正面から見た平面図を、下に背面から見た操作部１１３の平面図を示している。図４（ａ）は、操作部１１３において座標の検出が可能な有効領域１１３Ａが、表示画面１１２Ａの全体に対応している場合を示している。また、図４（ｂ）は、操作部１１３において座標の検出が可能な有効領域１１３Ａが、表示画面１１２Ａの一部である所定領域（ここでは図２（ａ）の領域Ａ）に対応している場合を示している。
【００３７】
また、点Ｐは、操作部１１３の座標と表示画面１１２Ａの座標の対応関係を示している。操作部１１３は、表示画面１１２Ａを本体１２０の裏面からポインティングするような操作を実現するように、表示画面１１２Ａと座標が対応づけられている。つまり、上の図に示しているように、操作部１１３の有効領域１１３Ａ内の点Ｐを背面からタッチすると、それが表示画面１１２Ａの点Ｐを表面からタッチしたのと同様に取り扱われるよう、制御部１０１は操作部１１３の座標を取り扱う。
【００３８】
点Ｐは実際には下の図に示す位置である。したがって、制御部１０１は、操作部１１３の座標（ｘ，ｙ）を、表示画面１１２Ａにおける座標（ｎ×（ｈｍａｘ−ｘ），ｍ×ｙ）として取り扱う。これは、操作部１１３の座標を、操作部１１３を表示画面側から見たときの座標として取り扱うとともに、操作部１１３と表示画面１１２Ａとの大きさの違いに基づく倍率を適用することに相当する。ここで、有効領域１１３Ａの水平方向および垂直方向の最大座標値をｈｍａｘ，ｖｍａｘとし、有効領域１１３Ａに対応する表示画面１１２Ａの領域（ここでは表示画面１１２Ａの全体）の水平方向および垂直方向の最大座標値をＨｍａｘ，Ｖｍａｘとすると、ｎ＝Ｈｍａｘ／ｈｍａｘ、ｍ＝Ｖｍａｘ／ｖｍａｘである。
【００３９】
図４に示した構成によれば、ユーザは、筐体の裏面からタッチパッドを操作することにより、表示画面１１２Ａの操作を行うことができる。特に、タッチパッドの有効領域１１３Ａを表示画面１１２Ａの所定領域に対応づけるとともに、タッチパッドの操作位置の座標を、タッチパッドを表示画面側から見たときの座標として取り扱うことにより、タッチパッドを表示画面１１２Ａの縮小物と見なし、表示画面１１２Ａを裏面からタッチ操作するような直感的な操作を実現することができる。
【００４０】
一方、図２（ｃ）や図３（ｂ）に示した、操作部１１３が物理的なスイッチ１１３Ａおよび１１３Ｂとポインティングデバイス１１３Ｃとを備える構成である場合、制御部１０１は、ポインティングデバイス１１３Ｃの操作に応じて、表示画面１１２Ａに表示するポインタ（カーソル）を移動させる。また、スイッチ１１３Ａ（または１１３Ｂ）の操作を検出すると、制御部１０１はその時点におけるポインタの位置に対する選択指示と解釈する。なお、スイッチ１１３Ａ，１１３Ｂの一方にはポインタの位置に対する決定もしくは選択の指示を与える機能を割り当てるが、もう一方には、例えば装置でよく用いる別の機能を割り当ててもよい。例えば本実施形態のように生体情報処理装置が超音波診断装置の場合、例えばフリーズボタンの機能（超音波画像の静止／静止解除）を割り当てることができる。なお、スイッチ１１３Ａ，１１３Ｂおよびポインティングデバイス１１３Ｃには、装置の状態（例えば動作モード）に応じて異なる機能を割り当ててもよい。
【００４１】
なお、制御部１０１は、ポインティングデバイス１１３Ｃの操作方向についても、表示画面１１２Ａ側から見た操作方向として取り扱う（水平方向については左右を反転して取り扱う）。これにより、例えばカーソルを右方向に移動させたい場合には、ポインティングデバイス１１３Ｃを表示画面１１２Ａ側から見て右方向（背面側から見て左方向）に操作すればよく、ユーザの意図した操作が容易に実現できる。
【００４２】
（変形例１）
上述したように、操作部１１３は本体１２０に着脱可能な外付けタイプであってよい。この場合、例えば操作部１１３はスマートフォンのケースのような、本体１２０の背面を保護するケースを兼ねてもよい。操作部１１３が外付けタイプの場合、操作部１１３と本体１２０（制御部１０１）との間の通信は、外部Ｉ／Ｆ１１４を通じて行う。操作部１１３が外部Ｉ／Ｆ１１４にケーブルまたは接点によって電気的に接続されてもよいし、操作部１１３および外部Ｉ／Ｆ１１４が例えばＢｌｕｅｔｏｏｔｈ（登録商標）のような無線通信機能を有し、相互に無線通信してもよい。
【００４３】
（変形例２）
上述した構成は、主に筐体を片手で保持する際の操作性向上を想定したものであった。そのため、例えば操作部１１３としてタッチパッドを用いる構成では、表示画面１１２Ａよりも小さなタッチパッドを、筐体を保持する手で操作可能な位置に配置していた。しかしながら、筐体を両手で保持しながら使用できる装置については、例えば図５に示すように、操作部１１３として、表示画面１１２Ａと同じ大きさの有効領域１１３Ａを有するタッチパッドを設けてもよい。
【００４４】
この場合、図５に示すように、有効領域１１３Ａが表示画面１１２Ａと対応する位置になるようにタッチパッドを筐体の背面側に配置にすると、ユーザは表示画面１１２Ａをあたかも裏面側から直接タッチ操作しているような感覚で直感的に操作することができる。制御部１０１は、タッチパッドのタッチ座標を、第１実施形態で説明した倍率ｎ，ｍを１として取り扱えばよい。
【００４５】
（変形例３）
本体筐体の背面側に設ける操作部１１３は、表示画面１１２Ａに表示されるソフトウェアキーや、筐体の正面や側面に設けられる操作部材（ハードウェアキー、スイッチ、ボタンなど）と組み合わせて用いてもよい。この場合、例えば操作部１１３については筐体の背面を支持する指（人差し指から小指）で操作し、ソフトウェアキーや操作部材については親指で操作することができる。例えば、ポインタ（カーソル）の位置を微調整したい場合に、親指でソフトウェアキーをスライド操作することにより、ポインタ位置を含む所定範囲の表示倍率を変更するような構成が考えられる。この場合、背面側の指でポインタを移動させつつ、正面側の親指でズーム倍率を調整することにより、微調整を容易に行うことができる。なお、ここで説明したのは単なる一例であり、他の機能のソフトウェアキーや操作部材と組み合わせてもよい。なお、ソフトウェアキーはあくまで補助的に用いるものであり、親指によるソフトウェアキーの操作を容易にするため、ソフトウェアキーの数は最小限として、１つのソフトウェアキーを大きくする方がよい。また、操作部材をある指で押下しながら他の指で背面の操作部１１３を操作することが容易に行えるように、背面の操作部１１３と組み合わせて用いる操作部材を筐体の側面などに設けてもよい。特に、筐体の両側面を保持できる程度に小型の装置である場合には、側面に操作部材を設けると操作性がよい。
【００４６】
なお、タッチパッドに対して有効なタッチ操作の種類や、スイッチ１１３Ａ，１１３Ｂに対して有効な操作の種類に特に制限はなく、装置の用途や動作モードなどに応じて適宜定めることができる。具体的には、制御部１０１が実行するプログラムにおいて、有効な操作の種類や、有効な操作に対してどのような動作を行うかを予め記述しておけばよい。
【００４７】
以上説明したように、本実施形態によれば、表示画面を備えた筐体を有する生体情報処理装置において、生体情報処理装置の操作を行う操作部を、筐体の背面側で操作を行うように配置するようにした。これにより、筐体を手で保持しながら生体情報処理装置を用いる際の操作性を向上することができる。
【００４８】
なお、本実施形態においては表示画面がタッチディスプレイである構成について説明したが、本発明において表示画面がタッチディスプレイであることは必須でない。タッチ検出機能を有しない表示画面を備える生体情報処理装置であっても、背面側に操作部を設けることにより、筐体の小型化や画面の大型化や、筐体を保持した状態における操作性の向上が実現できる。同様の理由により、ソフトウェアキーの使用も必須ではない。
【００４９】
なお、本発明に係る生体情報処理装置は、一般的に入手可能な、パーソナルコンピュータ、スマートフォン、タブレット端末のようなプログラムを実行可能な電子機器において、生体情報処理装置の機能を実現するアプリケーションソフトウェアを実行することによっても実現できる。従って、このようなプログラムおよび、プログラムを格納した記憶媒体（ＣＤ−ＲＯＭ、ＤＶＤ−ＲＯＭ等の光学記録媒体や、磁気ディスクのような磁気記録媒体、半導体メモリカードなど）もまた本発明を構成する。
【符号の説明】
【００５０】
１００…超音波診断装置、１０１…制御部、１０４…駆動回路、１０６…駆動回路、１０７…カラードプラ処理部、１０９…Ｂモード処理部、１１１…画像合成部、１１２…表示部、１１３…操作部
【図１】
2020130874.tif 000003
【図２】
2020130874.tif 000004
【図３】
2020130874.tif 000005
【図４】
2020130874.tif 000006
【図５】
2020130874.tif 000007